(57)【要約】【課題】カード上に記録される書き換え可能な第１の画像と書き換え不可能な第２の画像に対してそれぞれ最適な記録方法を適用しながらも、各画像のレイアウトに制約を与えず、その利用範囲も極力限定されないようにすること。【解決手段】文字１６や顔写真１８等の第１の画像が熱により書き換え可能に記録された可逆性情報記録層３４と、該記録層３４の下に配置され、上記第１の画像とは実質的に異なる第２の画像（文字１４やウオーターマーク・ロゴ２０等）がレーザ光照射により書き換え不可能に記録された不可逆性情報記録層３６とを具備し、上記第１の画像及び上記第２の画像が共に上記可逆性情報記録層３４上部より視認可能なように構成する。上記第１の画像は、所定の複数のカード間において互いに異なる画像を含み、且つ、上記第２の画像は、当該複数のカード間において互いに共通の画像を含む。【選択図】      図１
2005132061.tif 000002
【特許請求の範囲】
【請求項１】
文字、記号、図形又は絵柄等の第１の画像が熱により書き換え可能に記録された第１の記録層と、
前記第１の記録層の下に配置され、前記第１の画像とは実質的に異なる文字、記号、図形又は絵柄等の第２の画像がレーザ光照射により書き換え不可能に記録された第２の記録層と、
を具備し、
前記第１の画像及び前記第２の画像が共に前記第１の記録層上部より視認可能なように構成されたカードであって、
前記第１の画像は、所定の複数のカード間において互いに異なる画像を含み、且つ、前記第２の画像は、当該複数のカード間において互いに共通の画像を含むことを特徴とするカード。
【請求項２】
前記第２の記録層の下に、更に、カード基材としての基材層が配置されていることを特徴とする請求項１に記載のカード。
【請求項３】
前記第２の記録層が、カード基材としての基材層を兼ねることを特徴とする請求項１に記載のカード。
【請求項４】
前記第２の記録層は、前記第２の画像が、前記第１の記録層を介してレーザ光照射により追記可能なように構成されていることを特徴とする請求項１に記載のカード。
【請求項５】
前記第１の画像及び前記第２の画像は、それぞれ、目視にて読み取りが可能な可読画像又は機械により読み取りが可能な符号化画像を含むことを特徴とする請求項１に記載のカード。
【請求項６】
文字、記号、図形又は絵柄等の第１の画像が熱により書き換え可能に記録された第１の記録層と、前記第１の記録層の下に配置され、前記第１の画像とは実質的に異なる文字、記号、図形又は絵柄等の第２の画像がレーザ光照射により書き換え不可能に記録された第２の記録層と、を具備し、前記第１の画像及び前記第２の画像が共に前記第１の記録層上部より視認可能なように構成されたカードの製造方法であって、
前記第１の記録層を前記第２の記録層上に積層配置する第１の工程と、
前記第１の工程で積層配置された前記第１の記録層を介して、前記第２の記録層に対し、レーザ光照射により、所定の複数のカード間において互いに共通の画像を含む前記第２の画像を書き換え不可能に記録する第２の工程と、
前記第２の工程で前記第２の画像が記録された前記第２の記録層上の前記第１の記録層に対し、熱により、当該複数のカード間において互いに異なる画像を含む前記第１の画像を書き換え可能に記録する第３の工程と、
を含むことを特徴とするカードの製造方法。
【発明の詳細な説明】
【技術分野】
【０００１】
本発明は、文字、記号、図形又は絵柄等の画像が熱により書き換え可能に記録された第１の記録層と、その書き換え可能に記録された画像とは実質的に異なる画像がレーザ光照射により書き換え不可能に記録された第２の記録層と、を具備したカード及びそのようなカードの製造方法に関する。
【背景技術】
【０００２】
従来、銀行カードやクレジットカード、また身分証明証やメンバーズカード、従業員証等のＩＤ（識別）カードを含む各種カードは、夙に知られている。
【０００３】
近年においては、コンピュータネットワークの普及による情報のオンライン化に伴ってそのようなカードや住民基本台帳及び、健康保険被保険者証のカード化、又、運輸系の定期券、更に定期券とクレジット・前払い機能が相乗りしたカードにも磁気記録技術やＩＣ技術等を用いて電子情報が付加されるようになってきた結果、この種カードとコンピュータネットワークとが結合して、カードの利用範囲は益々広範囲なものになってきている。
【０００４】
ところで、これらのカード上には、当該カードの目的や用途に従って、文字、記号、図形又は絵柄等の様々な視認可能な画像が多数記録されることになるが、それら各画像の記録方法については、その個々の画像が担っている目的や性格に応じて、それぞれ最適となる記録方法が採用されている。
【０００５】
すなわち、例えば、消費者が商品を購入する毎に特典としてのポイントが加算されるポイントカードの場合においては、その書き換え可能な情報（以降、変動情報または可変情報も同義語として使用する）としてのポイントの画像は当該カード上において書き換え可能に記録されるべきであるし、またそのポイントカードが利用できるチェーン店名等の書き換え不可能な情報（以降、固定情報も同義語として使用する）としての画像については基本的に書き換えが不可能な形で記録されるべきである。
【０００６】
そのため、その変動情報の記録については、例えば、特許文献１に開示されたロイコ染料を使用した熱可逆性変化による記録方法が採用されたり、また、その固定情報の記録については、通常の印刷という不可逆性の記録方法が採用されたりしている。
【０００７】
このように、カード上に記録される画像の目的や性格に応じてその記録方法を適宜使い分けるものとしては、例えば特許文献２や特許文献３等が挙げられる。
【０００８】
すなわち、上記特許文献２には、レーザ光の照射による熱エネルギーの作用により、視認可能な情報（以降、可視情報も同義語として使用する）を消去可能に書き込んだ可逆性感熱記録領域と、同じ書き込み手段を用いて可視情報を消去不能に書き込んだ不可逆性感熱記録領域とを備えた可視情報記録媒体が開示されている。
【０００９】
また、上記特許文献３には、色彩画像情報を有するチェックカードまたは識別カードであって、この画像情報が、相互に補完し合って全体情報を形成する、明／暗部分及び色彩部分から構成されると共にこれらの部分が重畳され、そのうちの一方は外部からアクセスできない形で存在する記録媒体が開示されている。
【特許文献１】特許第２６７８２０７号公報
【特許文献２】特開２００２−５９５７５号公報
【特許文献３】特許第３４２６２６６号公報
【発明の開示】
【発明が解決しようとする課題】
【００１０】
しかしながら、上記特許文献２に開示された可視情報記録媒体は、一つの媒体面上に可逆性感熱記録領域と不可逆性感熱記録領域とをそれぞれ常に確保しているため、当該各領域に記録できる情報量は相対的に減少し、当該各領域のレイアウトについても著しい制約を受けるという欠点があった。
【００１１】
また、上記特許文献３にあっては、明／暗部分と色彩部分とが重畳されてはいるものの、その目的としては、明／暗部分と色彩部分とに記録する情報で顔写真等の実質的に同じ情報としてセキュリティ上の効果を狙ったものであるため、記録媒体としての利用範囲は比較的限定されるという不利な面があった。
【００１２】
本発明は、上記の点に鑑みてなされたもので、カード上に記録される書き換え可能な画像と書き換え不可能な画像に対してそれぞれ最適な記録方法を適用しながらも、各画像のレイアウトについては制約を与えることがなく、またその利用範囲も極力限定されないようにしたカード及びその製造方法を提供することを目的とする。
【課題を解決するための手段】
【００１３】
上記の目的を達成するために、本発明のカードの一態様は、
文字、記号、図形又は絵柄等の第１の画像が熱により書き換え可能に記録された第１の記録層と、
上記第１の記録層の下に配置され、上記第１の画像とは実質的に異なる文字、記号、図形又は絵柄等の第２の画像がレーザ光照射により書き換え不可能に記録された第２の記録層と、
を具備し、
上記第１の画像及び上記第２の画像が共に上記第１の記録層上部より視認可能なように構成されたカードであって、
上記第１の画像は、所定の複数のカード間において互いに異なる画像を含み、且つ、上記第２の画像は、当該複数のカード間において互いに共通の画像を含むことを特徴とする。
【００１４】
また、上記の目的を達成するために、本発明のカードの製造方法の一態様は、
文字、記号、図形又は絵柄等の第１の画像が熱により書き換え可能に記録された第１の記録層と、上記第１の記録層の下に配置され、上記第１の画像とは実質的に異なる文字、記号、図形又は絵柄等の第２の画像がレーザ光照射により書き換え不可能に記録された第２の記録層と、を具備し、上記第１の画像及び上記第２の画像が共に上記第１の記録層上部より視認可能なように構成されたカードの製造方法であって、
上記第１の記録層を上記第２の記録層上に積層配置する第１の工程と、
上記第１の工程で積層配置された上記第１の記録層を介して、上記第２の記録層に対し、レーザ光照射により、所定の複数のカード間において互いに共通の画像を含む上記第２の画像を書き換え不可能に記録する第２の工程と、
上記第２の工程で上記第２の画像が記録された上記第２の記録層上の上記第１の記録層に対し、熱により、当該複数のカード間において互いに異なる画像を含む上記第１の画像を書き換え可能に記録する第３の工程と、
を含むことを特徴とする。
【発明の効果】
【００１５】
本発明によれば、カード上に記録される書き換え可能な画像と書き換え不可能な画像に対してそれぞれ最適な記録方法を適用しながらも、各画像のレイアウトについては制約を与えることがなく、またその利用範囲も極力限定されないようにしたカード及びその製造方法を提供することができる。
【発明を実施するための最良の形態】
【００１６】
以下、本発明を実施形態によりさらに詳しく説明するが、本発明はこれに限定されるものではない。
【００１７】
また、図面では説明上、可逆性情報記録層（第１の記録層）への可視情報を「あ」「い」、不可逆性情報記録層（第２の記録層）への可視情報を「＊」を用いて表現する。なお、図において、破断線や破線の四角形（斜視）はカード層の省略を表し、また、薄い色で示された記録情報（「＊」や「ウオーターマーク・ロゴ等」）は、その記録情報が層を透過して見えている状態を意味する。
【００１８】
また、カードを形成する層の構成数、及びレイアウトは、以下の実施形態に限定されるものではない。
【００１９】
［第１実施形態］  
図１（Ａ）及び（Ｂ）は、本発明の第１実施形態に係るカード１０の一例としての磁気ストライプを使用したカードの一方のカード面１２ａ（この例では表面）及び他方のカード面１２ｂ（この例では裏面）を示す図である。また、図１（Ｃ）及び（Ｄ）は、同じく本第１実施形態に係るカード１０の別の例としてのＩＣチップを使用したカードの一方のカード面１２ａ（この例では表面）及び他方のカード面１２ｂ（この例では裏面）を示す図である。
【００２０】
これらの図に示すカード１０の例は、○△株式会社の社員である東京太郎が□□株式会社の臨時職員として２００４年３月３１日まで作業する場合を想定した例である。そのため、カード面１２ａには、文字１４、文字１６、顔写真１８、ウオーターマーク・ロゴ２０が提示されている。また、カード面１２ｂにも、文字２２、文字２４が提示されている。この場合、上記文字１６や顔写真１８等からなる可視情報は、社員の異動や退職等により随時に書き換えたい文字、記号、図形又は絵柄等の券面上の画像（第１の画像）つまり可変情報である。これに対して、上記文字１４やウオーターマーク・ロゴ２０等からなる可視情報は、書き換えを不可能にしたい文字、記号、図形又は絵柄等の券面上の画像（第２の画像）つまり固定情報である。
【００２１】
また、図１（Ａ）及び（Ｂ）に示す磁気ストライプを使用したカードでは、カード面１２ｂに、磁気ストライプ２６が組み込まれていると共に、バーコード２８が提示されている。一方、図１（Ｃ）及び（Ｄ）に示すＩＣチップを使用したカードでは、カード面１２ａにＩＣチップ用接点３０ａが露出すると共に、該カードを構成する複数層の層間に、アンテナ３２やＩＣチップ３０ｂが埋め込まれている。
【００２２】
本実施形態に係るカード１０は、上記第１の画像を記録するための第１の記録層と、上記第２の画像を記録するための第２の記録層とからなる２層構造の記録層を持つカードである。即ち、図１（Ｅ）に示すように、カード１０の記録層は、第１の記録層である可逆性情報記録層３４と、第２の記録層である不可逆性情報記録層３６とを積層配置したものとなっている。なおこの場合、不可逆性情報記録層３６は、カード基材と第２の記録層とを兼ねている。
【００２３】
即ち、本実施形態の２層以上の構成からなるカード１０は、文字、記号、図形又は絵柄等の第１の画像が熱により書き換え可能に記録される第１の記録層からなる可逆性情報記録層３４と、上記第１の画像とは実質的に異なる文字、記号、図形又は絵柄等の第２の画像がレーザ光照射により書き換え不可能に記録される第２の記録層からなるカード基材を含む不可逆性情報記録層３６とで構成され、上記可逆性情報記録層３４の下に上記不可逆性情報記録層３６を積層配置する第１の工程によって形成されるものである。
【００２４】
ここで、上記第１の記録層である可逆性情報記録層３４については、上記特許文献１に開示されたロイコ染料を使用した熱可逆性変化による記録方法が一例として、採用できる。
【００２５】
また、上記第２の記録層である不可逆性情報記録層３６については、樹脂等が挙げられ、具体的には、ポリエチレン（ＰＥ）、ポリエチレンテレフタレート（ＰＥＴ）、塩化ビニル（ＰＶＣ）、ポリプロピレン（ＰＰ）、ポリスチレン（ＰＳ）、ポリアセタール（ＰＯＭ）、ポリイミド（ＰＡ）、ポリカーボネート（ＰＣ）、変性ポリフェニレンエーテル（ＰＰＥ）、ポリブチレンテレフタレート（ＰＢＴ）、アクリロニトリルブタジエンスチレン（ＡＢＳ）、エポキシ（ＥＰ）、フェノール（ＰＦ）、ユリア（ＵＦ）等が採用できる。
【００２６】
また、レーザの種類としては、ＣＯ２レーザ、ガスレーザ、ＹＡＧレーザ、ＹＶＯ４レーザ、半導体レーザ等が挙げられ、その波長としては、紫外線〜赤外線（１０ｎｍ〜１０．６μｍ）の中で、特に不可逆性情報記録層３６（第２の記録層）が反応し易い波長とし、本実施形態では、１０６４ｎｍを使用している。
【００２７】
次に、図２（Ａ）乃至（Ｃ）を参照して、このような第１の記録層と第２の記録層とからなる２層構造のカードへの上記第１及び第２の画像の記録方法を説明する。
【００２８】
本実施形態に係るカードの製造方法は、上記のような第１の記録層を第２の記録層上に積層配置する第１の工程の後、上記第１の工程で積層配置された上記第１の記録層を介して、上記第２の記録層に対し、レーザ光照射により、所定の複数のカード間において互いに共通の画像を含む上記第２の画像を書き換え不可能に記録する第２の工程と、上記第２の工程で上記第２の画像が記録された上記第２の記録層上の上記第１の記録層に対し、熱により、当該複数のカード間において互いに異なる画像を含む上記第１の画像を書き換え可能に記録する第３の工程とを含むことを特徴としている。
【００２９】
しかしながら、図２（Ａ）に示すように、カード１０の片面であるカード面１２ａに対し、随時書き換えたい文字、記号、図形又は絵柄等の券面上の画像、つまり例えば可変情報である文字１６、顔写真１８からなる可視情報を上記第１の記録層である可逆性情報記録層３４に対し、サーマルヘッド３８により、文字・図形等の第１の画像４０のように記録した後、更に、書き換えを不可能にしたい文字、記号、図形又は絵柄等の券面上の画像、つまり、例えば固定情報である文字１４、ウオーターマーク・ロゴ２０等からなる可視情報を、図２（Ｂ）に示すように、上記第２の記録層である不可逆性情報記録層３６に対しレーザ光４２を照射することにより、文字・ウオーターマーク・ロゴ等の第２の画像４４のように記録することも可能である。
【００３０】
そして、例えば、社員の異動や退職等により随時書き換えたい文字、記号、図形又は絵柄等の画像がある場合は、図２（Ｃ）に示すように、上記第１の記録層である可逆性情報記録層３４に対し、セラミックヒータ４６により、例えば文字・図形等の第１の画像４０を消去してから、図２（Ａ）と同様にして、サーマルヘッド３８により文字、記号、図形又は絵柄等の第１の画像４０を記録することでカード上の画像を更新して再利用が可能になる。
【００３１】
従来は、固定情報を可視券面情報として記録する為には、カードのプレ印刷工程で可変可視情報を記録する前段階で処理する必要があったが、本発明によれば、非接触によるレーザ光の照射によって上記第１の記録層を介して固定情報を、可変情報記録後にも、書き換え不可能に上記第２の記録層に記録できることから、当該複数のカード間において互いに非共通な画像として固定可視情報を追記や訂正できる利点がある。これは、ＩＣや磁気ストライプ付カードの電子記録情報の追加や修正に合わせて書き換えをされたくない固定情報を、何時でも、可視券面情報として記録することを可能にするので、マルチアプリケーション対応ＩＣカードの可視情報記録としてカード保持者の住所、婚姻による姓の変更、カード発行者が必要とする固定情報の追加記載を可能にする。固定情報の変更に伴う高価なＩＣカード自体の再発行や差換え無しに使用期間を拡大する経済効果が得られる。
【００３２】
また、上記第１の工程で、２つの記録層を重ねて構成することで、上記第１の記録層と上記第２の記録層とを保有することから、この第１・第２の記録層のそれぞれが相互に影響を受けることなく２重書きが可能である。よって、上記第２の記録層に、書き換えを目的にしない当該複数のカード間において互いに共通する画像、つまり固定情報として文字や記号を記載する券面のフレームや区分け線、ウオーターマークやアイコンを記載させると共に、当該第２の記録層に、それ以外の所定の複数のカード間において互いに異なる画像も記録することができる。
【００３３】
何れにせよ、本実施形態によれば、第１の画像が第１の記録層に記録されている、されていないにかかわらず、その第１の記録層を介して第２の記録層に対し、第２の画像を記録することができる。
【００３４】
一般に、カード上の可視固定情報には、発行会社や団体名、名称、アイコン、備考、連絡先等がある。これらの券面情報は、書き換え不可能な券面情報として扱われ、個人情報の券面表記以前に共通の画像として一括処理される。本実施形態によれば、この共通の画像を複数のカード間で随時記録することができる。上記第１の画像及び上記第２の画像は、重複しても実質的に可視できることから、この両者の可視券面情報をそれぞれ独自に重ねて第１の記録層と第２の記録層に画像記録して、複数のカード間でお互いに共通な書き換え不可能な固定情報や頻繁に書き換えを行なう可変情報の重ね書きが行なえる効果を持つ。例えば、個人情報としての顔写真を第２の記録層に、会社等の所属先を第１の記録層に記録すれば、配属先が変わる度に新しい配属先を更新記録できる効果がある。
【００３５】
また、派遣社員や出張者の社員証として顔写真や氏名の個人情報を可逆性情報記録層に記録して、その下層に、特殊な文字、記号、図形又は絵柄等の画像を不可逆性情報記録層にレーザ光による記録をすることによって、カード自体の偽変造の防止や真贋を得る効果がある。更に、バーコード等の機械読み取り可能な符号化画像を上記第２の記録層に記録することによって、入退出や出怠勤管理等のＩＤカードとしての使用を可能にする。
【００３６】
他の応用例として、Ｓｕｉｃａ（東日本旅客鉄道株式会社の登録商標）カードでは、利用区間や有効期間等の変動情報には上記第１の記録層である可逆性情報記録層を利用し、注意事項や約款の追記等の書き換えられたくない画像は、上記第２の記録層である不可逆性情報記録層にレーザ光で随時書き込めば良い。
【００３７】
なお、上記カード面１２ｂを構成する層も、上記第１の記録層である可逆性情報記録層として構成し、上記文字２４やバーコード２８のような変動情報を書き換え可能としても良い。
【００３８】
［第２実施形態］  
次に、本発明の第２実施形態を説明する。
【００３９】
図３は、本第２実施形態に係るカードの構成を示す図である。即ち、本実施形態に係るカードは、上記第１実施形態で説明した２層構造のカードに、更に、カード基材４８を付加したものである。つまり、本実施形態に係るカードは、第１の記録層である可逆性情報記録層３４と、第２の記録層である不可逆性情報記録層３６と、カード基材４８と、で構成される。
【００４０】
本実施形態においても、図４（Ａ）に示すように、上記第１の記録層である可逆性情報記録層３４に対しサーマルヘッド３８により第１の画像４０を記録した後、図４（Ｂ）に示すように、上記第２の記録層である不可逆性情報記録層３６に対しレーザ光４２を照射することにより第２の画像４４を記録することができる。そして、図４（Ｃ）に示すように、上記第１の記録層である可逆性情報記録層３４に対しセラミックヒータ４６により第１の画像４０を一旦消去してから、図４（Ａ）と同様にして、サーマルヘッド３８により第１の画像４０を記録することでカード上の画像を更新して再利用が可能になる。
【００４１】
［第３実施形態］  
次に、本発明の第３実施形態を説明する。
【００４２】
図５（Ａ）は、本第３実施形態に係るカードの構成を示す図である。即ち、本実施形態に係るカードは、第１の記録層である可逆性情報記録層３４ａ，３４ｂと、第２の記録層である不可逆性情報記録層３６ａ，３６ｂと、をカード基材４８に対し両面に積層させた両面構造のカードである。
【００４３】
本実施形態においても、図６（Ａ）に示すように、上記第１の記録層である可逆性情報記録層３４ａ及び／または３４ｂに対しサーマルヘッド３８により第１の画像４０を記録した後、図６（Ｂ）に示すように、上記第２の記録層である不可逆性情報記録層３６ａ及び／または３６ｂに対しレーザ光４２を照射することにより第２の画像４４を記録することができる。そして、図６（Ｃ）に示すように、上記第１の記録層である可逆性情報記録層３４ａ及び／または３４ｂに対しセラミックヒータ４６により第１の画像４０を一旦消去してから、図６（Ａ）と同様にして、サーマルヘッド３８により第１の画像４０を記録することでカード上の画像を更新して再利用が可能になる。
【００４４】
なお、このカード構成において、可逆性情報記録層３４ａ，３４ｂのどちらか一方を保有しないことも可能である。
【００４５】
また、図１（Ｂ）のようにカード面１２ｂに対し磁気ストライプ２６を組み込めば、図６（Ｄ）に示すように、磁気ヘッド５０を使用して、磁気記録ができる。このようにカード面１２ｂ（あるいはカード面１２ａ）に対し磁気ストライプ２６を組み込んだ場合や、図５（Ｂ）に示すように、カード面１２ｂ（あるいはカード面１２ａ）に対し磁気ストライプ２６とＩＣチップ用接点３０ａを、またカード内部層に対しＩＣチップ３０ｂ及びアンテナ３２を組み込んだハイブリッドカードの場合に、記録条件を適切に設定することによって第２の記録層へレーザ光照射による記録を行なう際の物理的な影響を極力防止できる。
【００４６】
また、図１（Ｂ）のようにバーコード２８等の符号化画像を第２の記録層へレーザ光照射による記録を行なえば、偽造防止につながるし、第１の記録層へ熱による記録を行なえば、臨時の管理等に使用できる。
【００４７】
以上実施形態に基づいて本発明を説明したが、本発明は上述した実施形態に限定されるものではなく、本発明の要旨の範囲内で種々の変形や応用が可能なことは勿論である。
【００４８】
例えば、第１の記録層及び第２の記録層は、常にカード全面に設ける必要はない。例えば、図５（Ｃ）に示す内部層にカード基材５２を有するカードの可逆性情報記録領域５４や同領域５６に、ロイコ染料を使用したリライト領域として部分的に領域を設けることができ、その下に保護層５８を設け、さらにその下に従来方式の印刷方法で視認可能な不可逆性情報記録層３６−１を設け、さらにその下にレーザ光照射による不可逆性情報記録層３６−２を設ければ、カードのある所定領域に限って部分的に領域を設けても可視情報を重畳して記録することができる。
【００４９】
（付記）
前記の具体的実施形態から、以下のような構成の発明を抽出することができる。
【００５０】
（１）  文字、記号、図形又は絵柄等の第１の画像が熱により書き換え可能に記録された第１の記録層と、
上記第１の記録層の下に配置され、上記第１の画像とは実質的に異なる文字、記号、図形又は絵柄等の第２の画像がレーザ光照射により書き換え不可能に記録された第２の記録層と、
を具備し、
上記第１の画像及び上記第２の画像が共に上記第１の記録層上部より視認可能なように構成されたカードであって、
上記第１の画像は、所定の複数のカード間において互いに異なる画像を含み、且つ、上記第２の画像は、当該複数のカード間において互いに共通の画像を含むことを特徴とするカード。
【００５１】
この構成は、図１（Ｅ）乃至図２（Ｃ）に対応するものである。
【００５２】
この（１）に記載のカードによれば、カード上に記録される書き換え可能な画像と書き換え不可能な画像とに対してそれぞれ熱による記録方法とレーザ光照射による記録方法という最適な記録方法を適用しながらも、これら画像の記録層を積層配置しているため、各画像のレイアウトについては制約を与えることがなく、また第１の画像と第２の画像とは実質的に異なるものであることからその利用範囲も限定されることがない。しかも、その第１の画像は所定の複数のカード間において互いに異なる画像を含み、且つ、第２の画像は当該複数のカード間において互いに共通の画像を含むものであるため、頻繁に変わる可能性のある第１の画像と、書き換えがなされては不都合が生じる第２の画像とを共に同一のカードに記録する場合に特に好適するカードが提供できる。
【００５３】
（２）  上記第２の記録層の下に、更に、カード基材としての基材層が配置されていることを特徴とする（１）に記載のカード。
【００５４】
この構成は、図３乃至図４（Ｃ）に対応するものである。
【００５５】
この（２）に記載のカードによれば、（１）の効果に加えて、第２の記録層の下に、更に、カード基材としての基材層が配置されているので、カードとしての強度を向上することができる。
【００５６】
（３）  上記第２の記録層が、カード基材としての基材層を兼ねることを特徴とする（１）に記載のカード。
【００５７】
この構成は、図１（Ｅ）乃至図２（Ｃ）に対応するものである。
【００５８】
この（３）に記載のカードによれば、（１）の効果に加えて、第２の記録層が、カード基材としての基材層を兼ねるので、特に薄型化を図ることができる。
【００５９】
（４）  上記第２の記録層は、上記第２の画像が、上記第１の記録層を介してレーザ光照射により追記可能なように構成されていることを特徴とする（１）に記載のカード。
【００６０】
この構成は、図２（Ｂ）、図４（Ｂ）、図６（Ｂ）に対応するものである。
【００６１】
この（４）に記載のカードによれば、（１）の効果に加えて、第２の記録層に対して、第２の画像が、第１の記録層を介してレーザ光照射により追記ができるので、カードの完成後のカード表面の汚れ・油や微妙な凹凸・反りに対しても書き換え不可能な情報の追加ができることから、カードの利用範囲や期間が更に広がる。
【００６２】
（５）  上記第１の画像及び上記第２の画像は、それぞれ、目視にて読み取りが可能な可読画像又は機械により読み取りが可能な符号化画像を含むことを特徴とする（１）に記載のカード。
【００６３】
この構成は、図１（Ｂ）に対応するものである。
【００６４】
この（５）に記載のカードによれば、（１）の効果に加えて、第１の画像及び第２の画像は、それぞれ、目視にて読み取りが可能な可読画像又は機械により読み取りが可能なバーコード等の符号化画像を含むので、カードの利用範囲は更に広がり、またバーコード等の符号化画像を含む場合には、とりわけコンピュータネットワークとの結合も行い易くなる。
【００６５】
（６）  文字、記号、図形又は絵柄等の第１の画像が熱により書き換え可能に記録された第１の記録層と、上記第１の記録層の下（図１（Ｅ）参照）に配置され、上記第１の画像とは実質的に異なる文字、記号、図形又は絵柄等の第２の画像がレーザ光照射により書き換え不可能に記録された第２の記録層と、を具備し、上記第１の画像及び上記第２の画像が共に上記第１の記録層上部より視認可能なように構成されたカードの製造方法であって、
上記第１の記録層を上記第２の記録層上に積層配置する第１の工程と、
上記第１の工程で積層配置された上記第１の記録層を介して、上記第２の記録層に対し、レーザ光照射により、所定の複数のカード間において互いに共通の画像を含む上記第２の画像を書き換え不可能に記録する第２の工程と、
上記第２の工程で上記第２の画像が記録された上記第２の記録層上の上記第１の記録層に対し、熱により、当該複数のカード間において互いに異なる画像を含む上記第１の画像を書き換え可能に記録する第３の工程と、
を含むことを特徴とするカードの製造方法。
【００６６】
この構成は、図１（Ａ）乃至（Ｄ）、図２（Ａ）乃至（Ｃ）、図４（Ａ）乃至（Ｃ）、図５（Ｂ）、図６（Ａ）乃至（Ｄ）に対応するものである。
【００６７】
この（６）に記載のカードの製造方法によれば、カード上に記録される書き換え可能な画像と書き換え不可能な画像とに対してそれぞれ熱による記録方法とレーザ光照射による記録方法という最適な記録方法を適用しながらも、これら画像の記録層を積層配置しているため、各画像のレイアウトについては制約を与えることがなく、また第１の画像と第２の画像とは実質的に異なるものであることからその利用範囲も限定されることがない。しかも、その第１の画像は所定の複数のカード間において互いに異なる画像を含み、且つ、第２の画像は当該複数のカード間において互いに共通の画像を含むものであるため、頻繁に変わる可能性のある第１の画像と、書き換えがなされては不都合が生じる第２の画像とを共に同一のカードに記録する場合に特に好適するカードの製造方法が提供できる。
【産業上の利用可能性】
【００６８】
本発明は、例えば以下の各用途に利用できる。
【００６９】
・健康保険被保険者証・診察・医療情報の各カード
・住民基本台帳カード
・運転免許証や各種資格証・定期券・決裁機能付定期券の各カード
・旅券・外国人登録証の各カード
・社員証・職員証・学生証・ビル内管理カード・アミューズメント利用カード
・クレジットカード・キャッシュカード・デビットカード・消費者金融カード
・電子マネー・電子チケット・ポイント・メンバーズの各カード
その他、磁気記録やＩＣ記録を有する多目的・ＩＤ・セキュリティカード。
【図面の簡単な説明】
【００７０】
【図１】（Ａ）及び（Ｂ）は本発明の第１実施形態に係るカードの一例としての磁気ストライプを使用したカードの一方のカード面及び他方のカード面を示す図、（Ｃ）及び（Ｄ）は第１実施形態に係るカードの別の例としてのＩＣチップを使用したカードの一方のカード面及び他方のカード面を示す図であり、（Ｅ）は第１実施形態に係るカードの構成を示す断面図である。
【図２】（Ａ）及び（Ｂ）はそれぞれ第１実施形態に係るカードの記録方法を説明するための図であり、（Ｃ）は第１実施形態に係るカードの記録方法における第１の画像の消去工程を説明するための図である。
【図３】本発明の第２実施形態に係るカードの構成を示す断面図である。
【図４】（Ａ）及び（Ｂ）はそれぞれ第２実施形態に係るカードの記録方法を説明するための図であり、（Ｃ）は第２実施形態に係るカードの記録方法における第１の画像の消去工程を説明するための図である。
【図５】（Ａ）は本発明の第３実施形態に係るカードの構成を示す図、（Ｂ）は第３実施形態を適用したハイブリッドカードを説明するための図であり、（Ｃ）は本発明の変形例の構成を示す断面図である。
【図６】（Ａ）及び（Ｂ）はそれぞれ第３実施形態に係るカードの記録方法を説明するための図、（Ｃ）は第３実施形態に係るカードの記録方法における第１の画像の消去工程を説明するための図であり、（Ｄ）は第３実施形態に係るカードの記録方法における磁気ストライプへの磁気記録工程を説明するための図である。
【符号の説明】
【００７１】
１０…カード、  １２ａ，１２ｂ…カード面、  １４，１６，２２，２４…文字、  １８…顔写真、  ２０…ウオーターマーク・ロゴ、  ２６…磁気ストライプ、  ２８…バーコード、  ３０ａ…チップ用接点、  ３０ｂ…ＩＣチップ、  ３２…アンテナ、  ３４，３４ａ，３４ｂ…可逆性情報記録層、  ３６，３６ａ，３６ｂ，３６−１，３６−２…不可逆性情報記録層、  ３８…サーマルヘッド、  ４０…第１の画像、  ４２…レーザ光、  ４４…第２の画像、  ４６…セラミックヒータ、  ４８，５２…カード基材、  ５０…磁気ヘッド、  ５４，５６…可逆性情報記録領域、  ５８…保護層。
【図１】
2005132061.tif 000003
【図２】
2005132061.tif 000004
【図３】
2005132061.tif 000005
【図４】
2005132061.tif 000006
【図５】
2005132061.tif 000007
【図６】
2005132061.tif 000008